(57)【要約】【課題】第１シールリングのライナーとの摺接部を冷却すると共に潤滑して、摩耗を防止しシールリングの耐久性を向上させる船尾管シール装置の提供を目的とする。【解決手段】プロペラ２１を回転可能に支持するプロペラ軸１０の船尾管シール装置１２であって、プロペラ軸１０のライナー１１を外嵌し、複数のシールリングを保持しているハウジング１３と、複数のシールリングの最船尾側に配設された第１シールリング１と、第１シールリング１の船舶前側に第１シールリング１と間隔を有して配設された第２シールリング２と、第１シールリング１を冷却する潤滑油を噴出する噴出口３１ｄを、ライナー１１と第１シールリング１との摺接部Ｇ近傍に配設したことを特徴とする。
2014155582.tif 000002
【特許請求の範囲】
【請求項１】
船舶の船尾に装着されるプロペラを回転可能に支持するプロペラ軸のライナーの外周面に周接する複数のシールリングによって構成された船尾管シール装置であって、
前記ライナーを外嵌し、前記複数のシールリングを保持しているハウジングと、
前記複数のシールリングの最船尾側に配設された第１シールリングと、
前記第１シールリングの前記船舶前側に前記第１シールリングと間隔を有して配設された第２シールリングと、
前記第１シールリングを冷却する潤滑油を噴出するノズルと、を備え、
前記ノズルの前記潤滑油を噴出する噴出口を、前記ライナーと前記第１シールリングとの摺接部近傍に配設したことを特徴とする船尾管シール装置。
【請求項２】
前記ハウジングの前記ライナーと対向した面で且つ、前記噴出口近傍に、前記ライナーの正転に伴い前記潤滑油を前記船尾環状空間側へ押出す方向に螺旋溝を設けたことを特徴とする請求項１記載の船尾管シール装置。
【請求項３】
前記ノズルは前記ハウジングに形成されていることを特徴とする請求項１又は２のいずれかに記載の船尾管シール装置。
【請求項４】
前記ノズルは、前記第１シールリング内に配設されていることを特徴とする請求項１乃至３のいずれかに記載の船尾管シール装置。
【請求項５】
前記ノズルは、前記導入口が前記ハウジング内の潤滑油路内に開口し、前記噴出口に連通する潤滑油路が、前記ハウジングと前記ライナーとが対向した隙間部に配設された筒状部材で形成されていることを特徴とする請求項１又は２のいずれかに記載の船尾管シール装置。
【請求項６】
前記プロペラ軸と、前記プロペラ軸に外嵌する前記ライナーとで形成する空間部と、前記第１シールリングと、前記噴出口との間に前記ライナーのラジアル方向に前記空間部に連通する第１戻し油路と、前記ライナーの前記船尾環状空間と対向する部分に前記ライナーのラジアル方向に前記空間部と前記船尾環状空間とを連通する第２戻し油路とを備え、
前記摺接部を冷却した潤滑油が前記空間部を介して前記船尾環状空間に戻るようにしたことを特徴とする請求項１乃至５のいずれかに記載の船尾管シール装置。
【請求項７】
前記噴出口から噴出する潤滑油の導入口は、前記ハウジング内の潤滑油路の潤滑油流通方向に対し直角方に開口していることを特徴とする請求項１乃至５のいずれかに記載の船尾管シール装置。
【発明の詳細な説明】
【技術分野】
【０００１】
本発明は、船尾管の船外側に設けられたハウジング内を貫通する船舶用の推進軸と、ハウジングとの間に配設されて、海水が船内側に浸入するのを防止するシールリングを用いた船尾管シール装置に関する。
【背景技術】
【０００２】
従来からゴムやエラストマーからなるシールリングが船尾管シール装置に用いられている。
例えば、特許文献１には、図７に示すように、船尾管０１を貫通する推進軸（プロペラ軸）０２に取付けられたライナー０３に摺接する弾性部材からなるリップ型のシールリング０４，０５，０６が複数のハウジング部材に０７に挟まるように配設され、船尾側に配設した第１シールリング０４と、これに隣接する第２シールリング０５によって第１船尾環状空間０８を形成すると共に、第２シールリング０５と第３シールリング０６とによって第２船尾環状空間０９を形成するようにして、海水の浸水や異物の侵入、及び船内側の潤滑油の漏洩を防止する船尾管シール装置０１０が開示されている。
【先行技術文献】
【特許文献】
【０００３】
【特許文献１】特開２０００−２３８６９４号公報
【発明の概要】
【発明が解決しようとする課題】
【０００４】
しかしながら、特許文献１に開示されている第1シールリング０４の断面形状は、シールリング０４がライナー０３と接触する摺接面に、プロペラ軸０２の回転時に第1船尾環状空間０８内の海水を高圧側の船外へ強制的に送り出すように、微細な凹凸を設けて、プロペラ軸０２の回転時に送り出し作用を積極的に発生させる技術である。
ところが、船舶の大型化、高速化に伴って、シールリング０４がライナー０３と接触する摺接部は、プロペラ軸０２の回転により発生する摩擦熱が部分的には１５０℃以上になることが知られている。［船尾管シール装置用シールリング材の研究（第１報）］
そのため、シールリングの材料として耐熱性の高い、ＮＢＲ（Ｎｉｔｒｉｌｅ  Ｂｕｔａｄｉｅｎｅ  Ｒｕｂｂｅｒ）、フッ素ゴム等が使用されている。【０００５】
しかし、そのような状態においても、ＮＢＲシールリングの場合には、熱硬化によるクラックの発生が多くなり、最近では材料費が高価なフッ素ゴムが使用されている。
このような状況下においても、シールリングのライナーとの摺接部は摩耗が進み、定期的にシールリングの交換が必要となっている。
交換のため、高価な船舶の稼働を停止し、大きな部材（プロペラ、推進軸等）の取外し、取付け等により、船舶の稼働率の低下と大きな交換費用が生じている。【０００６】
本発明は、上述した課題に鑑みてなされた発明であって、第１シールリングのライナーとの摺接部を冷却すると共に潤滑して、摩耗を防止しシールリングの耐久性を向上させる船尾管シール装置の提供を目的とする。
【課題を解決するための手段】
【０００７】
本発明はかかる課題を解決するため、船舶の船尾に装着されるプロペラを回転可能に支持するプロペラ軸のライナーの外周面に周接する複数のシールリングによって構成された船尾管シール装置であって、
前記ライナーを外嵌し、前記複数のシールリングを保持しているハウジングと、
前記複数のシールリングの最船尾側に配設された第１シールリングと、
前記第１シールリングの前記船舶前側に前記第１シールリングと間隔を有して配設された第２シールリングと、
前記第１シールリングを冷却する潤滑油を噴出するノズルと、を備え、
前記ノズルの前記潤滑油を噴出する噴出口を、前記ライナーと前記第１シールリングとの摺接部近傍に配設したことを特徴とする船尾管シール装置を提供できる。【０００８】
かかる発明によれば、第１シールリングは、第１シールリングとライナーとの周接部に摺動によって発生する摩擦熱が噴出口から噴射される潤滑油にて効果的に冷却される。
これにより、周接部における第１シールリングの摩耗及び硬化が抑制でき、第１シールリングの耐久性が向上し、第１シールリングの交換時期が延長され船舶のランニングコストの抑制が図れる。【０００９】
また、本発明において好ましくは、前記ハウジングの前記ライナーと対向した面で且つ、前記噴出口近傍に、前記ライナーの正転に伴い前記潤滑油を前記船尾環状空間側へ押出す方向に螺旋溝を設けるとよい。【００１０】
かかる発明によれば、潤滑油を船尾環状空間側へ押出す螺旋溝を設けることにより、潤滑油を船尾環状空間側へ押出すようにして、第１シールリングとライナーとの周接部を冷却する潤滑油を噴出口からの噴出し易いようにすることで、冷却効果を向上させることができる。【００１１】
また、本発明において好ましくは、前記ノズルは前記ハウジングに形成されるとよい。【００１２】
かかる発明によれば、ハウジングにノズルを設けることにより、第１シールリングとライナーとの周接部に潤滑油を的確に噴射することができ、冷却効果の向上が図れる。【００１３】
また、本発明において好ましくは、前記ノズルは、前記第１シールリング内に配設されているとよい。【００１４】
かかる発明によれば、噴出口から噴出される潤滑油が第１シールリング内を通過するので、内部の蓄熱を冷却することが可能で、第１シールリングの冷却効率が更に向上する。【００１５】
また、本発明において好ましくは、前記ノズルは、前記導入口が前記ハウジング内の潤滑油路内に開口し、前記噴出口に連通する潤滑油路が、前記ハウジングと前記ライナーとが対向した隙間部に配設された筒状部材で形成されているとよい。【００１６】
かかる発明によれば、筒状のノズルをハウジングとライナーとの隙間部に配設する構造としたので、ノズルの配設構造が簡素化され製造コストの低減と、構造の簡素化に伴う製品精度の向上が可能となり第１シールリングの摺接部に的確に噴射することができ、摺接部の冷却を効率よく実施できる。【００１７】
また、本発明において好ましくは、前記プロペラ軸と、前記プロペラ軸に外嵌する前記ライナーとで形成する空間部と、前記第１シールリングと、前記噴出口との間に前記ライナーのラジアル方向に前記空間部に連通する第１戻し油路と、前記ライナーの前記船尾環状空間と対向する部分に前記ライナーのラジアル方向に前記空間部と前記船尾環状空間とを連通する第２戻し油路とを備え、
前記摺接部を冷却した潤滑油が前記空間部を介して前記船尾環状空間に戻るようにするとよい。【００１８】
かかる発明によれば摺接部を冷却した潤滑油は、ライナーとプロペラ軸との空間部を介して、船尾環状空間に戻るようにしたので、噴射口と摺接部間の潤滑油圧力が高くなりすぎるのを防止して、潤滑油のノズル噴出口からの噴出量を確保し易くすると共に、第１戻し油路を通る潤滑油によって、ライナー内部の熱（摺接部による熱）を冷却することができる。【００１９】
また、本発明において好ましくは、前記噴出口から噴出する潤滑油の導入口は、前記ハウジング内の潤滑油路の潤滑油流通方向に対し直角方に開口しているとよい。【００２０】
かかる発明によれば、ハウジング内の潤滑油路の潤滑油流通方向に対し直角方に開口しているので、ノズル内に潤滑油が入り易くなる。
従って、噴出口から噴出される潤滑油量が多くなり、第１シールリングの冷却効率が向上する。
【発明の効果】
【００２１】
かかる発明によれば、第１シールリングのライナーとの摺接部をノズルから噴出する潤滑油で集中的に冷却することにより、シールリングの耐久性を向上させる船尾管シール装置を提供することができる。
【図面の簡単な説明】
【００２２】
【図１】本発明が実施される船尾管シール装置の概略断面図を示す。
【図２】本発明の第１実施形態の要部拡大断面図を示す。
【図３】（Ａ）は図２のハウジングのライナーと対向した面に設けられたネジ溝の周方向の展開図、（Ｂ）は（Ａ）の部分拡大図、（Ｃ）は他の形状の展開図を示す。
【図４】本発明の第２実施形態の要部拡大断面図を示す。
【図５】本発明の第３実施形態の要部拡大断面図を示す。
【図６】本発明の第４実施形態の要部拡大断面図を示す。
【図７】従来技術の説明図である。
【発明を実施するための形態】
【００２３】
以下、本発明を図に示した実施形態を用いて詳細に説明する。
但し、この実施形態に記載されている構成部品の寸法、材質、形状、その相対配置などは特に特定的な記載がない限り、この発明の範囲をそれのみに限定する趣旨ではなく、単なる説明例にすぎない。
【００２４】
（第１実施形態）
図１を参照して、船尾管シール装置１２の全体構成について説明する。
船尾管シール装置１２は、図１に示すようにプロペラ２１が端部に取付けられた船舶推進用のプロペラ軸１０と、船尾管１５から船外側（船尾側）に突出して設けられ、内部にプロペラ軸１０が貫通するハウジング１３と、該ハウジング１３の内周面とプロペラ軸１０に外嵌したライナー１１の外周側との間をシールするシールリング１，２，３によって構成されている。
プロペラ２１にはボルト１１ａによってプロペラ軸１０のライナー１１が固定されている。
ライナー１１の胴部はプロペラ軸１０の外周を囲いプロペラ軸１０と一体に回転するようになっている。
このライナー１１の胴部外周には、最船尾側からリップ形の第１シールリング１、第２シールリング２及び第３シールリング３が摺接している。
また、第１シールリング１の更に最船尾側には、漁網防止リング１４が取付けられている。漁網防止リング１４は、漁網等の海水中の異物が船尾管シール装置１２内に入り込むのを防止している。
【００２５】
ハウジング１３は、複数のハウジング１３ａ〜１３ｅがプロペラ軸１０の軸線方向に積層状態に重なってボルト１３ｆによって一体的に船尾管１５に固定されている。
複数のハウジング１３ａ〜１３ｅは、船尾側から、第１ハウジング１３ａ、第２ハウジング１３ｂ、第３ハウジング１３ｃ、第４ハウジング１３ｄ、及び第５ハウジング１３ｅの順に配設されている。
第１、第２および第３シールリング夫々は、ハウジング１３ａ〜１３ｅに挟み込まれた状態で固定されている。
そして、第１シールリング１及び第２シールリング２のリップは海水側に向けられ、第３シールリング３は船首側に向けられている。
これら、シールリング１，２，３及び１８は、ゴム又はエラストマーの弾性部材からなり、ゴム材料としては、耐水、耐油、耐熱性に優れたフッ素ゴム又はＮＢＲによって形成されている。
また、シールリングは円環形状を成し、リング部分の断面形状は一定断面形状を有し、中心の中空部分にライナー１１の胴部が挿入されるようになっている。
【００２６】
また、第１シールリング１と第２シールリング２とによって、船尾環状空間である第１船尾環状空間４が形成され、第２シールリング２と第３シールリング３とによって第２船尾環状空間５が形成されている。
第３シールリング３と第４シールリング１８との間の船尾管１５内には、油溜りタンク２７に連通する船尾管室１９が形成されている。
【００２７】
第１船尾環状空間４には、船内に設けた潤滑油を貯溜する油溜りタンク６に連結した送油管７を介して、潤滑油が常に供給されるようになっている。
油溜りタンク６は、第１船尾環状空間４の液圧が軸芯喫水圧よりも低くなるように調整されている。
油溜りタンク６には、該油溜りタンク６内の潤滑油が低下すると、潤滑油を補給するための補給ライン２８と、潤滑油補給の調整を行うバルブ２９が付設されている。
第２船尾環状空間５には、大気に連通する空気抜きライン８と、船尾管軸受潤滑油（第１船尾環状空間４及び船尾管室１９の潤滑油）の漏れ発生の場合にこれを回収するドレンライン９が接続されている。４８はドレンタンクである。
第２船尾環状空間５は大気解放なので、船尾管室の圧力を独自に軸芯喫水圧より低く設定できるので、船尾管室１９の圧力を低くでき、第４シールリング１８の負荷が下げられ、第４シールリング１８の耐久性を向上させることができる。
【００２８】
潤滑油は、船尾管１５内の送油管７と、第５、第４、第３ハウジング１３ｅ、１３ｄ、１３ｃに穿設された各油路とを流れ、第３ハウジング１３ｃで第１船尾環状空間４内に供給されるようになっている。
既述の通り、送油管７及び各油路内を流通する潤滑油は、軸芯喫水圧より低い圧力が作用するように調整されている。
これは、プロペラ軸１０の回転時における第１シールリング１の負荷を軽減するためである。
図２に本実施形態における、ハウジング１３の部分拡大図を示す。
各油路は、船尾管１５の壁部に穿設され、送油管７が連結した第１油路７ａと、第５ハウジング１３ｅの第１油路７ａと対向した位置に開口した第２油路７ｂと、第４ハウジング１３ｄの第２油路７ｂと対向した位置に開口した第３油路７ｃと、第３ハウジング１３ｃの第３油路７ｃに対向した位置に開口した第４油路７ｄとで構成されている。
【００２９】
更に、第３ハウジング１３ｃには、第４油路７ｄに開口して潤滑油を取入れる導入口３１ｃを有し、該導入口３１ｃに連続して、ラジアル方向中心側に延在したラジアル方向油路３１ａと、該ラジアル方向油路３１ａに連続して、第１シールリング１のライナー１１との摺接部Ｇ近傍に潤滑油の噴出口３１ｄを備え、第１シールリング１側に屈曲したアキシャル方向油路３１ｂを有したノズル３１が設けられている。
ラジアル方向油路３１ａとアキシャル方向油路３１ｂとによって、第１シールリング１のライナー１１と摺接する摺接部Ｇに潤滑油を噴射するノズルとしての機能を有している。
導入口３１ｃは、第３油路７ｃから第４油路７ｄにかけて直線的に流れる潤滑油の流れに対し、直角方向に開口されている。
従って、導入口３１ｃは、潤滑油の流動圧が導入口３１ｃに作用して、ノズル３１内に潤滑油が多く入り易いように配設してある。
そして、ノズル３１は、ライナー１１の外周面に沿って環状に複数個所に配設けられている。
【００３０】
また、図３（Ａ）は図２Ａ部（ハウジング１３のライナー１１と対向した面）の内周面３１ｅの周方向展開図を示す。
ハウジング１３の潤滑油の噴出口３１ｄ近傍で、且つライナー１１と対向した内周面３１ｅには、ハウジング１３とライナー１１との隙間部Ｒを介して、潤滑油を第１船尾環状空間４側へ押出すポンプ作用を有した螺旋溝３１ｆが形成されている。
螺旋溝３１ｆは、ライナー１１が正回転（船舶が前進する方向に回転）時に、潤滑油がライナーの回転に連れまわりして、第１船尾環状空間４側へ押出す方向に形成されている。
従って、潤滑油は、螺旋溝３１ｆに沿って図３（Ａ）の⇒の方向に流れる。
ハウジング１３の内周面３１ｅに潤滑油を第１船尾環状空間４側へ押出す方向にポンピング作用を発揮させている。
従って、第１シールリング１とライナー１１との摺接部Ｇを冷却する潤滑油は、噴出口３１ｄから噴出し易くなり、より多くの潤滑油によって摺接部Ｇの冷却効果を向上させることができる。
【００３１】
本実施形態では、螺旋溝３１ｆは、１条の螺旋溝になっており、ポンピング作用を若干抑制した構造にしてある。
本実施形態では、図３（Ｂ）に図３（Ａ）の部分拡大図を示すように、螺旋溝３１ｆの捩り角α（リード角）を１〜１０度に抑えてある。
捩り角αを１〜１０度に抑えることにより、噴出口３１ｄからの潤滑油噴出量を抑制するためである。
潤滑油を噴出口３１ｄから必要以上に噴出させると、潤滑油圧送ポンプの負荷が大きくなり内燃機関の出力及び燃費ロスをまねく。
また、ポンピング作用の抑制は、摺接部Ｇの潤滑油圧力が低下するのを防止したものである。
尚、噴出口３１ｄからの潤滑油の噴出量が多い場合には、必要に応じて、図３（Ｃ）に示すように、螺旋溝３１ｆの捩り角θ（リード角）を大きくして、ポンピング効率を大きくすることも可能である。
【００３２】
油溜りタンク６の潤滑油は、送油管７及び各油路を流通して、ノズル３１の噴出口３１ｄから第１シールリング１のライナー１１との摺接部Ｇに向けて噴出される。
第１シールリング１のライナー１１との摺接部Ｇを冷却した潤滑油は、第１船尾環状空間４内を循環して、図示されない油路及び潤滑油冷却装置を通過して、油溜りタンク６に戻る。
【００３３】
このような構造にすることにより、第１シールリング１は、第１シールリング１とライナー１１との摺動によって発生する摩擦熱を噴出口から噴射される潤滑油にて効果的に冷却される。
これにより、摺接部における第１シールリング１の摩耗及び硬化が抑制でき、第１シールリング１の耐久性が向上し、第１シールリング１の交換時期が延長され船舶のランニングコストの抑制が図れる。
また、第３ハウジング１３ｃは、該第３ハウジング１３ｃにノズル３１を設けるため、第３ハウジング１３ｃの第１船尾環状空間４側をアキシャル方向及びラジアル方向に膨出させた形状にしてある。
【００３４】
従って、ノズル３１が配設されていない部分は、第１シールリング１が海水側から圧力が作用した際のバックアップリングとしての作用を有し、当該部のシールリングとしての作用効果を向上させることができる。
更に潤滑油を噴射するノズル３１を、第３ハウジング１３ｃに配設しているので、潤滑油が第１シールリング１のライナー１１との摺接部Ｇに的確に噴射されるので、第１シールリング１の冷却効率を向上させることができる。
【００３５】
（第２実施形態）
本実施形態は、第１実施形態に対し、ノズルの配置構造が異なる以外は同じなので、ノズル形成部以外の説明は省略する。
更に、同一部品については同一の符号を付して、説明を省略する。
【００３６】
本実施形態は図４に示すように、第２ハウジング１３ｂと第３ハウジング１３ｇとによって第１シールリング５０が固定されている。
第３ハウジング１３ｇには、第４油路７ｄに開口して潤滑油を取入れる導入口３２ｃを有し、第１シールリング５０の部分まで穿設された潤滑油通路を形成する第１ノズル３２ａが配設されている。
【００３７】
第１シールリング５０には、内部に第１ノズル３２ａの潤滑油通路に連通し、第１シールリング５０のライナー１１と摺接する摺接部Ｇ近傍に開口して、該摺接部Ｇに潤滑油を噴射する噴出口３２ｄを備えた第２ノズル３２ｂが形成されている。
そして、第１ノズル３２ａと第２ノズル３２ｂとによって、第１シールリング５０のライナー１１と摺接する摺接部Ｇに潤滑油を噴射するノズル３２としての機能を有している。
第１ノズル３２ａと第２ノズル３２ｂとで構成されたノズル３２は、ライナー１１の外周面に沿って環状に複数個所に配設されている。
【００３８】
このような構造にすることにより、潤滑油は、第１ノズル３２ａから、第１シールリング５０の内部に形成された第２ノズル３２ｂを介して、第１シールリング５０の摺接部Ｇに的確に噴射される。
更に、潤滑油は、第１シールリング５０の内部を通過するため、蓄熱され易い内部も容易に冷却することが可能となり、第１シールリング５０の冷却を更に効果的に行うことができ、第１シールリング５０の熱硬化及び摩耗の防止を効果的に実施できる。
【００３９】
（第３実施形態）
本実施形態は、第１実施形態に対し、ノズルの配置構造が異なる以外は同じなので、ノズル形成部以外の説明は省略する。
更に、同一部品については同一の符号を付して、説明を省略する。
【００４０】
本実施形態は図５に示すように、第３ハウジング１３ｈには、第４油路７ｄの下流側端部にノズル３３が固定されている。
ノズル３３は、潤滑油の取入口３３ｃを第４油路７ｄの下流側端部に開口し、第１船尾環状空間４内をラジアル方向中心側に延在したラジアル方向延在部３３ａと、第３ハウジング１３ｈとライナー１１との隙間部Ｒを第１シールリング１側に屈曲させ、潤滑油を排出する噴出口３３ｄを、第１シールリング１のライナー１１と摺接する摺接部Ｇ近傍に開口させたアキシャル方向延在部３３ｂとで形成されている。
また、第３ハウジング１３ｈのライナー１１に対向する面には、ノズル３３のアキシャル方向延在部３３ｂが嵌入する切欠部Ｓがアキシャル方向に配設されている。
切欠部Ｓは、アキシャル方向に対する直角方向断面が半円状に形成されている。
【００４１】
このような構造にすることにより、潤滑油は、第４油路７ｄの下流側端部からノズル３３のラジアル方向延在部３３ａ及びアキシャル方向延在部３３ｂを流れて、噴出口３３ｄから第１シールリング１のライナー１１と摺接する摺接部Ｇ近傍に噴射され、第１シールリング１の冷却を更に効果的に行うことができ、第１シールリング１の熱硬化及び摩耗の防止を効果的に実施できる。
【００４２】
（第４実施形態）
本実施形態は、ライナー１１部とプロペラ軸１０との空間部Ｖを利用して、摺接部Ｇを冷却した潤滑油を船尾環状空間に戻すようにした以外は第３実施形態と同じである。
従って、摺接部Ｇを冷却した潤滑油を船尾環状空間に戻すようにした以外は、説明を省略する。
更に、同一部品については同一の符号を付して、説明を省略する。
【００４３】
本実施形態は図６に示すように、ノズル３３は、潤滑油の取入口３３ｃを第４油路７ｄの下流側端部に開口し、船尾環状空間である第１船尾環状空間４内をラジアル方向中心側に延在したラジアル方向延在部３３ａと、第３ハウジング１３ｈとライナー１１との隙間部Ｒを第１シールリング１側に屈曲させ、潤滑油を排出する噴出口３３ｄを、第１シールリング１のライナー１１と摺接する摺接部Ｇ近傍に開口させたアキシャル方向延在部３３ｂとで形成されている。
【００４４】
ライナー１１はプロペラ軸１０に外嵌して、プロペラ軸１０に固定されている。
ライナー１１内周面の軸線方向両端部には、プロペラ軸１０側に突出した環状の船尾側突起部１１ｆ及び船首側突起１１ｇの内周面と、プロペラ軸１０の外周面とが嵌合している。
そして、ライナー１１の船尾側突起部１１ｆと船首側突起１１ｇとの間の空間部Ｖは、プロペラ軸１０の外周面によって密閉された環状の空間になっている。
【００４５】
ライナー１１の第１シールリング１と、ノズル３３の噴出口３３ｄとの中間位置に、ライナー１１のラジアル方向に空間部Ｖと連通する第１戻し油路１１ａと、第１船尾環状空間４に対向した位置（ノズル３３の船首側位置）のライナー１１に、ライナー１１のラジアル方向に空間部Ｖと連通する第２戻し油路１１ｂと、第１戻し油路１１ａの船尾側位置に、ライナー１１からプロペラ軸１０側に突出して、プロペラ軸１０の外周面に外嵌する第１環状突起１１ｃと、第２戻し油路１１ｂの船首側位置に、ライナー１１からプロペラ軸１０側に突出して、プロペラ軸１０の外周面に外嵌する第２環状突起１１ｄと、が配設されている。
そして、第１環状突起１１ｃと、第２環状突起１１ｄとで形成された環状の戻し油路となる空間部Ｖの一部に形成された第３油路１１ｅが形成されている。
尚、第１戻し油路１１ａと、第２戻し油路１１ｂはライナー１１の周方向に間隔を有して、複数配設されている。
【００４６】
従って、摺接部Ｇを冷却した潤滑油は、複数の第１戻し油路１１ａからライナー１１とプロペラ軸１０との第３戻し油路１１ｅを通過して、複数の第２戻し油路１１ｄから第１船尾環状空間４のノズル３３の船首側位置近傍に流れる。
このような構造にすることにより、噴射口３３ｄと摺接部Ｇ間の潤滑油圧力が高くなりすぎるのを防止して、潤滑油の噴出口３３ｄからの噴出量を確保し易くすると共に、第１戻し油路１１ａを通る潤滑油によって、ライナー１１内部の熱（摺接部による熱）を冷却することができる。
【産業上の利用可能性】
【００４７】
船尾管の船外側に設けられたライナー部材内を貫通する船舶用の推進軸と、ライナー部材との間に配設されて、海水が船内側に浸入するのを防止するシールリングを用いた船尾管シール装置への利用に適している。
【符号の説明】
【００４８】
１、５０    第１シールリング
２          第２シールリング
３          第３シールリング
４          第１船尾環状空間（船尾環状空間）
５          第２船尾環状空間
６          油溜りタンク
７          送油管
７ａ        第１油路
７ｂ        第２油路
７ｃ        第３油路
７ｄ        第４油路
１０        プロペラ軸
１１        ライナー
１１ａ      第１戻し油路
１１ｂ      第２戻し油路
１１ｅ      第３戻し油路
１２        船尾管シール装置
１３        ハウジング
１３ａ      第１ハウジング
１３ｂ      第２ハウジング
１３ｃ、１３ｇ、１３ｈ    第３ハウジング
１３ｄ      第４ハウジング
１３ｅ      第５ハウジング
１５        船尾管
１８        第４シールリング
３１，３２，３３    ノズル
Ｇ          摺接部
Ｒ          隙間部
Ｓ          切欠部
Ｖ          空間部
【図１】
2014155582.tif 000003
【図２】
2014155582.tif 000004
【図３】
2014155582.tif 000005
【図４】
2014155582.tif 000006
【図５】
2014155582.tif 000007
【図６】
2014155582.tif 000008
【図７】
2014155582.tif 000009
【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
船舶の船尾に装着されるプロペラを回転可能に支持するプロペラ軸のライナーの外周面に周接する複数のシールリングによって構成された船尾管シール装置であって、
前記ライナーを外嵌し、前記複数のシールリングを保持しているハウジングと、
前記複数のシールリングの最船尾側に配設された第１シールリングと、
前記第１シールリングの前記船舶前側に前記第１シールリングと間隔を有して配設された第２シールリングと、
前記第１シールリングを冷却する潤滑油を噴出するノズルと、を備え、
前記ノズルの前記潤滑油を噴出する噴出口を、前記ライナーと前記第１シールリングとの摺接部近傍に配設し、
前記ハウジングの前記ライナーと対向した面で且つ、前記噴出口近傍に、前記ライナーの正転に伴い前記潤滑油を前記第１シールリングと前記第２シールリングとによって形成される船尾環状空間の側へ押出す方向に螺旋溝を設けたことを特徴とする船尾管シール装置。
【請求項２】
前記ノズルは前記ハウジングに形成されていることを特徴とする請求項１に記載の船尾管シール装置。
【請求項３】
前記ノズルは、前記第１シールリング内に配設されていることを特徴とする請求項１又は２のいずれかに記載の船尾管シール装置。
【請求項４】
前記ノズルは、潤滑油の取入口が前記ハウジング内の潤滑油路の下流側端部に開口し、前記船尾環状空間の内をラジアル方向中心側に延在したラジアル方向延在部と、前記ハウジングと前記ライナーとの隙間部を前記第１シールリングの側に屈曲し、前記噴出口を前記ライナーと前記第１シールリングとの摺接部近傍に開口させたアキシャル方向延在部とで形成されていることを特徴とする請求項１に記載の船尾管シール装置。
【請求項５】
前記プロペラ軸と、前記プロペラ軸に外嵌する前記ライナーとで形成する空間部と、前記第１シールリングと、前記噴出口との間に前記ライナーのラジアル方向に前記空間部に連通する第１戻し油路と、前記ライナーの前記船尾環状空間と対向する部分に前記ライナーのラジアル方向に前記空間部と前記船尾環状空間とを連通する第２戻し油路とを備え、
前記摺接部を冷却した潤滑油が前記空間部を介して前記船尾環状空間に戻るようにしたことを特徴とする請求項１乃至４のいずれかに記載の船尾管シール装置。
【請求項６】
前記噴出口から噴出する潤滑油の導入口は、前記ハウジング内の潤滑油路の潤滑油流通方向に対し直角方向に開口していることを特徴とする請求項１乃至４のいずれかに記載の船尾管シール装置。
【手続補正２】
【補正対象書類名】明細書
【補正対象項目名】０００７
【補正方法】変更
【補正の内容】
【０００７】
本発明はかかる課題を解決するため、船舶の船尾に装着されるプロペラを回転可能に支持するプロペラ軸のライナーの外周面に周接する複数のシールリングによって構成された船尾管シール装置であって、
前記ライナーを外嵌し、前記複数のシールリングを保持しているハウジングと、
前記複数のシールリングの最船尾側に配設された第１シールリングと、
前記第１シールリングの前記船舶前側に前記第１シールリングと間隔を有して配設された第２シールリングと、
前記第１シールリングを冷却する潤滑油を噴出するノズルと、を備え、
前記ノズルの前記潤滑油を噴出する噴出口を、前記ライナーと前記第１シールリングとの摺接部近傍に配設し、
前記ハウジングの前記ライナーと対向した面で且つ、前記噴出口近傍に、前記ライナーの正転に伴い前記潤滑油を前記第１シールリングと前記第２シールリングとによって形成される船尾環状空間の側へ押出す方向に螺旋溝を設けたことを特徴とする船尾管シール装置を提供できる。
【手続補正３】
【補正対象書類名】明細書
【補正対象項目名】０００９
【補正方法】削除
【補正の内容】
【手続補正４】
【補正対象書類名】明細書
【補正対象項目名】００１５
【補正方法】変更
【補正の内容】
【００１５】
また、本発明において好ましくは、前記ノズルは、潤滑油の取入口が前記ハウジング内の潤滑油路の下流側端部に開口し、前記船尾環状空間の内をラジアル方向中心側に延在したラジアル方向延在部と、前記ハウジングと前記ライナーとの隙間部を前記第１シールリングの側に屈曲し、前記噴出口を前記ライナーと前記第１シールリングとの摺接部近傍に開口させたアキシャル方向延在部とで形成されているとよい。
【手続補正５】
【補正対象書類名】明細書
【補正対象項目名】００１９
【補正方法】変更
【補正の内容】
【００１９】
また、本発明において好ましくは、前記噴出口から噴出する潤滑油の導入口は、前記ハウジング内の潤滑油路の潤滑油流通方向に対し直角方向に開口しているとよい。
【国際調査報告】
2014155582.tif 000010
2014155582.tif 000011
2014155582.tif 000012
2014155582.tif 000013